(57)【要約】【課題】　患者固有の治療処方計画に従って薬剤容器に服用量を記載するシステムを提供すること。【解決手段】　個別容量の薬剤を格納するように構成された容器(30,130)と、患者固有の治療計画に従ってそれらの個別容量の薬剤を服用すべき時間などを表示する各個別容量の薬剤に位置合わせされるように構成された指示表示(34,134)とからなる薬剤ディスペンサシステム(10)。【選択図】　図１
2004065986.tif 000002
【特許請求の範囲】
【請求項１】
　個別用量の薬剤を格納するように構成された容器（３０）と、各個別用量の薬剤に位置合わせされるように構成され、患者固有の治療処方計画に従ってそれらの個別用量を投与すべき時間を示す指示表示（３４）とを含む薬剤ディスペンサ・システム。
【請求項２】
　前記指示表示（３４）が各個別用量を投与すべき日付を含む、請求項１に記載の薬剤ディスペンサ・システム。
【請求項３】
　薬剤ラベルを作成する方法であって、前記個別容量の薬剤を有する容器で提供可能な薬剤を調合する要求を受け取るステップ（１０２）と、前記個別用量の構成を判定するステップと、判定された前記個別用量の構成に位置合わせされるように構成され、前記個別用量の薬剤の各々を投与する時間を示す指示表示を印刷するステップ（１１４）とを含む方法。
【請求項４】
　前記個別用量が個別小室に入れられ、前記指示表示は、患者がどの個別小室が空になったかを調べて前記薬剤の使用を把握しやすくするように、前記容器の前記個別小室に位置合わせされる、請求項３に記載の方法。
【請求項５】
　前記指示表示が前記個別用量を投与すべき日付を含む、請求項３に記載の方法。
【請求項６】
　前記個別用量の薬剤について個別小室を有する容器を用いて提供可能な薬剤を調合する要求を受け取るステップ（１０２）と、前記個別小室の構成を判定するステップ（１１０）と、前記判定された個別小室の構成に位置合わせされるように構成され、各個別小室に関する前記薬剤の各個別用量を投与する時間を示す指示表示を含む薬剤ラベルを印刷するステップ（１１４）とからなるラベル作成方法によって作成された薬剤ラベル。
【請求項７】
　前記容器の個別小室に位置合わせされる指示表示は、患者が個別小室が満杯のままであることを調べて前記薬剤の使用を把握しやすくするように構成される、請求項６に記載のラベル作成方法によって作成された薬剤ラベル。
【請求項８】
　個別用量の薬剤の位置を定義する容器構成データを記憶するように構成されたメモリ（２６）と、前記メモリ（２６）にアクセスして、薬剤容器上に指示表示を直接配置するために使用する容器構成データを取り出すように構成されたプロセッサ（２４）と、前記指示表示を前記容器構成データに従って前記薬剤容器上に配置するためラベル上に印刷し、前記薬剤の個別用量に関連する個別の指示を設けるように構成されたプリンタ（１６，２３）とからなる薬剤ディスペンサ・システム。
【請求項９】
　前記メモリが前記薬剤の投与を指示する指示表示の配置を判定する際に使用される薬剤治療処方計画を記憶するように更に構成されている、請求項８に記載の薬剤ディスペンサ・システム。
【請求項１０】
　薬剤治療処方計画が適切に守られていることを確認する方法であって、個別用量の薬剤を有する容器で提供可能な薬剤を調合する要求を受け取るステップと、前記要求された薬剤の容器構成データを取り出すステップと、取り出した前記容器構成データに基づいて、前記各個別用量の薬剤と位置合わせされるように構成された指示表示であって所定の薬剤治療処方計画に従って前記個別用量の薬剤を投与する時間を示す指示表示を含む薬剤ラベルを印刷するステップと、前記個別用量に位置合わせされた指示表示によって示される時間を現在時刻と目で比較することにより、前記個別用量が前記薬剤表示によって示されたように投与されたことを確認するステップとからなる方法。
【発明の詳細な説明】
【技術分野】
【０００１】
　本発明は薬剤ディスペンサ・システムに関し、詳しくは患者固有の治療処方計画に従って薬剤容器に服用量を記載するシステムに関する。
【背景技術】
【０００２】
　毎年かなりの数の処方薬が不適切に服用されている。例えば、処方薬治療中の患者が、間違った用量を服用したり、適切な時間にある用量の薬剤を服用するのを忘れたりすることがある。他の患者は、薬剤を最後にいつ服用したかまたは薬剤を次にいつ服用するかを覚えていないことがある。治療によっては、これが、特に治療処方計画の間に薬剤治療の用量が変化する場合に、大きな問題となることがある。患者が、治療処方計画の間に、用量を間違えたり、間違った時間に間違った用量を服用したりすると、薬効が低下するだけでなく悪い副作用が起きることがある。
【発明の開示】
【発明が解決しようとする課題】
【０００３】
　したがって、患者が決まった時間に薬剤を服用するのを支援するために、ある一定用量の薬剤を格納する容器が開発された。例えば、各曜日ごとにラベルが付けられた７つのスペースのある容器が知られている。さらに、容器によっては、患者に薬剤を服用する時間を思い出させるために、各曜日ごとにラベルが付けられた午前用と午後用のスペースを規定しているものがある。しかしながら、これらのシステムの１つの欠点は、患者または介護者が、適切な薬剤を容器に手で詰めた後でなければ容器を使用できないことである。
【課題を解決するための手段】
【０００４】
　薬剤の個別用量を格納するように構成された容器と、薬剤の各個別用量に位置合わせされるように構成され、患者固有の治療処方計画に従ってそれらの個別用量を投与すべき時間を示す指示表示とを含む薬剤ディスペンサ・システム。
【発明を実施するための最良の形態】
【０００５】
　最初に図１を参照すると、本発明の一実施形態により患者固有の薬剤容器を作成するように構成されたシステムの全体が１０で示されている。システム１０は、サーバ１２、薬局用端末装置１４、薬局用プリンタ１６、およびネットワーク通信リンク１８を含むことができることを理解されよう。また、システム１０は、医者用端末装置２０および／または患者用端末装置２２を含むことができ、そのどちらかまたは両方を使って、患者情報を入力し、その情報をサーバ１２や他の端末装置のどれにも送ることができる。また、患者用プリンタ２３および／または医者用プリンタ（図示せず）が提供されることがあり、そのどちらかまたは両方を、特注薬剤ラベルを印刷するように構成することができる。
【０００６】
　次に、サーバ１２に注目すると、図示したサーバは、プロセッサ２４とメモリ２６を含むことが分かる。プロセッサ２４は、後でさらに詳しく説明するように、薬剤取引の識別に対応し、メモリ２６にアクセスして患者固有の情報を取り出すように構成することができる。サーバは、データを記憶し、近くまたは遠くの端末装置からアクセスされるように構成された任意の適当なネットワーク・サーバでよい。単一のコンピュータまたは一連のネットワーク接続されたコンピュータが、サーバとしての役割をすることができる。サーバ１２へのアクセスは、サーバ自体のユーザ・インタフェースを介してもよく、指定された端末装置のうちの１つまたは複数を介してもよい。
【０００７】
　図示のように、データベース２８は、サーバ１２のメモリ２４に記憶することができる。代替または追加として、データベースは、１つまたは複数の指定された端末装置のメモリ、あるいは近くまたは遠くの場所にある別のサーバのメモリに記憶することもできる。さらに、任意のサーバまたは指定された端末装置のどれかに複数のデータベースがされることがある。例えば、複数の医者がそれぞれ、単一サーバまたは指定された端末装置上に、その医者固有のデータベースを維持することができる。
【０００８】
　薬局用端末装置１４は、一般に、薬剤師が、記録管理し、サーバ１２および／または他の端末装置と通信し、特注薬剤ラベルの作成を支援するために、薬局に配置される。代表的な薬局用端末装置は、例えば、プロセッサ、メモリ、ユーザ・インタフェースなどを含むコンピュータ端末装置である。本発明のこの実施形態により、薬剤師は、薬局用端末装置によって、サーバ１２にアクセスし、特注薬剤ラベルの作成に使用するためにサーバに記憶された患者情報を取り出すことができる。また、薬局用端末装置１４から他の端末装置またはサーバにアクセスして、患者、医者および／または薬剤の情報にアクセスすることができる。
【０００９】
　薬局プリンタ１６を薬局用端末装置１４に接続して、特注薬剤ラベルを印刷することができる。一般に、薬局プリンタ１６は、糊付きラベル用紙を処理するように構成されているが、様々な形態の媒体を使用することができる。薬局プリンタ１６は、例えば、レーザ・プリンタ、インクジェット・プリンタ、ドット・マトリックス・プリンタなどでよく、カラーの印刷も白黒画像だけの印刷も可能である。図示したように、薬局プリンタ１６は、薬局用端末装置１４に直接接続することができ、ローカル・エリア・ネットワークまたは類似のリモート通信リンクによって接続することもできる。また、薬局プリンタ１６は、様々なサイズの媒体を処理し、容器またはパッケージ上に直接ラベルを印刷し、および／または薬剤師が行なう薬剤取引ごとに特注薬剤ラベルを自動的に印刷するように構成することができる。
【００１０】
　前述のように、薬局プリンタ１６は、薬剤容器に直接印刷するように構成することができる。例えば、その薬剤容器は、それぞれ個別用量の薬剤を含む個別の小室を有するブリスター包装容器である。薬剤容器への直接印刷によって、後で説明するように、特定の患者の治療処方計画にしたがって個別用量の薬剤に個別にラベル付けを行うことができる。符号２３で示したような医者用プリンタおよび／または患者用プリンタも、これと同じように構成することができる。
【００１１】
　また、図１に示したように、医者用端末装置２０は、患者情報をサーバ１２に伝達してメモリ２６のデータベース２８に記憶することができる。伝達される患者情報には、患者固有の識別情報（名前、住所、年齢、性別、身長、体重、患者識別画像など）、及び、患者固有の処方情報（処方薬剤、投薬指示、既知のアレルギーなど）を含めることができる。通常、医者用端末装置は詳細な患者情報を記憶するのに使用され、患者情報には上にあげたものが含まれ、とりわけ医者の行為に関する情報が含まれる。医者は、治療するすべての患者の記録を保持することができる。
【００１２】
　場合によっては、医者の記録から患者情報の選択した部分だけをサーバ１２に伝達することができる。送られる情報は、医者が発行する各処方箋の処方レコードを定義することができる。処方レコードはサーバ１２上のデータベース２８に記憶することができ、そのような各処方レコードは患者識別情報と処方識別情報との両方に関連付けられる。また、後でさらに詳しく説明するように、個別用量の処方薬を個別にラベル付けするため、データベースは処方薬のパッケージに関する情報を含むことができる。
【００１３】
　また、患者用端末装置２２は、データをサーバ１２に送り、薬剤の患者固有の薬剤ラベルを作成するために使用する処方レコードをデータベース２８に要求することができる。したがって、患者用端末装置は、患者の薬剤について患者固有のラベルを印刷するように構成された患者プリンタ２３をサポートするように構成することができる。一般に、患者プリンタ２３は、薬局プリンタ１６に関して前に説明したものと同じ方式で動作するように構成することができる。患者プリンタ２３は、薬局プリンタ１６と同じように、個別用量を有するブリスター包装容器や他の型の薬剤容器に印刷することが可能なタイプのものでよい。
【００１４】
　コンピュータ端末装置として図示し説明した端末装置１４、２０および２２はそれぞれ、複数のネットワーク接続されたコンピュータを含む場合もあることが理解されよう。例えば、医者用端末装置は、ローカル・コンピュータ・ネットワークに接続された複数のコンピュータ端末装置を含む場合がある。
【００１５】
　ネットワーク通信リンク１８は、一般に、サーバ１２、薬局用端末装置１４、医者用端末装置２０、および患者用端末装置２２を接続する。ネットワーク通信リンクは、情報を伝達できるものであれば任意のタイプのネットワークでよい。例えば、ネットワーク通信リンク１８には、ローカル・エリア・ネットワーク（ＬＡＮ）、広域ネットワーク（ＷＡＮ）、またはそれらの任意の組合せを用いることができる。ネットワーク通信リンク１８は、端末装置１４、２０および２２がサーバ１２とデータを交換できるようにする任意の適切なネットワーク・アーキテクチャを使用することができる。
【００１６】
　一実施形態において、薬局用端末装置１４は、適切な許可がなければサーバ１２へのアクセスが拒否されることがある。許可を得るためには、事前に承認されたユーザ名および／またはパスワード、あるいは薬剤師の免許データの提示が必要とされる場合がある。同様に、医者用端末装置２０及び患者用端末装置２２も、サーバ１２またはデータベース２８にアクセスするのに、識別ユーザ名および／またはパスワードが必要とされる場合がある。
【００１７】
　データベース２８には、食品医薬品局（ＦＤＡ）によって承認されたすべての薬剤および／または薬物に関連した情報を含めることができる。含まれる情報の中でも特に、例えば、薬剤の相互作用、一般的な副作用、ブラックボックス警告など、ＦＤＡによって承認された各薬剤に関するものが重要な情報である。また、データベース２８には、承認薬剤のパッケージまたは容器の構成も含まれる場合がある。この容器構成は、薬局プリンタ１６、患者プリンタ２３、類似の医者プリンタ（図示せず）などのプリンタを設定するのに用いられ、特定のパッケージまたは容器構成に適した患者固有の薬剤ラベルを印刷するのに使用される。例えば、プリンタは、個別容量に関連する指示表示がその個別容量に対して正確に位置決めされて印刷されるように構成される。
【００１８】
　データベース２８内の情報は、新しい薬剤が使用可能になったときや新しいパッケージ構成が使用可能になったときに新しくしておかなければならないことがある。したがって、システム１０の所有者は、新しい薬剤やパッケージ構造に関する情報により、データベースを定期的に更新する場合がある。例えば、ＦＤＡが新しい薬剤を承認したときは、関連する薬剤情報（その薬剤のパッケージに関する情報を含む）をデータベース２８に入力することができる。一般に、データベースの毎週または毎月の更新によって、その情報が確実に最新になる。しかしながら、そのような定期更新を行う周期は、もっと短くても長くてもよい。
【００１９】
　前述のように、データベース２８には、他の情報の中でも特に、薬剤に関する患者固有の治療スケジュールを格納するレコードを含めることができる。例えば、処方レコードには、処方箋を受け取る患者の識別、処方薬剤の用量と量、薬剤の服用間隔、その処方レコードの固有識別子、その処方箋を発行した医師または医療サービス提供者の識別などを含めることができる。薬局用端末装置（または、患者用端末装置）は、データベース２８にアクセスして、患者固有の薬剤ラベルを作成するようにプリンタを設定する際に使用する処方レコードを取り出すことができる。
【００２０】
　データベースは、専用サーバに記憶することもできるし、医者用端末装置２０のメモリに記憶することもできる。この例では、患者が薬剤師に渡す処方箋にコードすなわち固有識別子を含めることができ、そのコードによって薬剤師がネットワーク通信リンク１８等の通信リンクを介してデータベース２８にリモートでアクセスできるようになっている。これにより、医者は、アクセスが制限された処方レコードのデータベースを維持することができる。
【００２１】
　図２は、本発明の一実施形態による容器３０を示している。容器３０は、個別用量の薬剤を格納する１つまたは複数の個別小室３２を有するように構成することができる。図示のように、指示表示３４は、容器３０上の個別小室３２に印を付けるように構成することができる。この指示表示は、容器３０に直接印刷することもできるし、容器３０に貼り付けるラベルに印刷することもできる。いずれの場合も、指示表示３４は、通常、容器の個別小室に位置合わせされるように構成され、個別小室の内容物を患者が服用すべき時間を示す。指示表示３４によって示される時間は、「１／１／０２」などの具体的な日付でもよいし、「Ｄａｙ１」などの一般的な日でもよい。さらに、この表示は、午前、午後、朝、夕、朝食、昼食、夕食などの特定の時間を示すこともできる。例えば、図２は、「月曜日　１／１／０２」というラベルの付いた破れた指示表示で図示されているように、治療の初日に３服の薬剤が服用されたことを示している。「火曜日　１／２／０２」というラベルの付いた指示表示で図示されているように、治療の二日目には、２服の薬剤を服用することになっている。この破れた指示表示は、初回の服用が済んでいることを示している。破れていない指示表示は、表示されている指示に従った服用がまだ行われていないことを示している。
【００２２】
　薬剤治療によっては、特別な投薬要件を有するものがある。例えば、アルツハイマー薬剤治療の中には、滴定を必要とし、悪い副作用を少なくするために、投与量を少量から開始して治療レベルまで増加させてゆく必要があるものもある。様々な個別用量と関連付けて概算表示を印刷することにより、個々の患者の必要性に合わせて薬剤治療を調整し、患者に必要な投薬処方計画を確実に把握することができる。　
【００２３】
　また、図２に示すように、容器３０の特別注文ラベルには、文字、図形やその他の指示情報のためのデータ領域３６を含めることができる。例えば、データ領域の一例としては、患者名、医師名、薬剤名などを含む場合がある。データ領域の他の例では、薬剤の画像または薬剤を服用する患者の像を含む場合がある。さらに他のデータ領域は、投薬指示、副作用に関する警告、および／または薬剤の投与方法に関する他の重要な情報を含む場合がある。例えば、このデータ領域には、患者がその薬剤と一緒に服用してはならない別の薬剤の画像を含めることができ、薬剤を食物と一緒に服用すべき場合はその食物の画像を含めることもできる。
【００２４】
　以上のことを考慮すると、薬局用端末装置１４及び薬局プリンタ１６を用いて、薬剤取引ごとに患者固有の薬剤ラベルを作成できることが分かるであろう。薬剤取引は、一般に、薬剤師が、患者の処方箋に従って調剤または再調剤し、処方された薬剤を患者に与えるときに行われると考えられる。同様に、患者用端末装置２２及び患者プリンタ２３は、そのようなラベルのない薬剤を提供する薬局を利用する患者のために、患者固有の薬剤ラベル容器を作成することができる。これは、そのような患者が薬剤を適切に使用するのに役立つ。
【００２５】
　図３は、個別用量の薬剤を格納する個別小室１３２を有する代替の薬剤容器１３０を示している。本発明の一実施形態に従って、患者固有の薬剤ラベルを容器１３０に貼り付け及び／又は印刷することができる。患者固有のラベルには、各個別用量の薬剤を投与する時間を示すように構成された指示表示１３４を含めることができる。
【００２６】
　既に述べたように、表示１３４は、「Ｄａｙ１」などの一般的な時間を含む場合もあるし、「７／４／０２」など、もっと具体的な時間を示すこともできる。処方箋に従って調剤が行なわれるとき、この患者固有のラベルは、容器１３０に直接印刷することもできるし、あるいは容器１３０に貼り付けるラベルに印刷することもできる。また、容器１３０は、投薬指示や警告などの追加情報を印刷するためのデータ領域１３６を有することもできる。さらに、このデータ領域１３６には、前に図２に関して示したように画像または図形を含めることもできる。
【００２７】
　容器１３０の個別小室及びそれに関連する表示を調べて、過去の時間を示す表示の付いた各小室が空であることを確認すること、すなわち投与すべき各用量が投与されたことを確認することにより、正しい用量の薬剤が投与されたことを目で確認することができる。
【００２８】
　図４は、システム１０を用いて、処方薬が正しく投与されたことを確認する方法を１００で概略的に示すフロー図である。したがって、方法１００は、符号１０２で示すように、処方箋（Ｒｘ）に従って調剤すべきことの処方要求を受け取るステップを含む。薬剤師が受け取る処方要求には、通常、患者と薬剤との両方が指定されている。また、処方要求には、薬剤を受け取る患者、薬剤の規定用量、処方箋を書いた医者、および再調剤の回数に関する情報も含まれる場合がある。また、処方要求には、薬剤師（または患者）がデータベース内の処方レコードにセキュリティ上安全にアクセスできるようにするためのパスワードまたはコードが含まれる場合もある。
【００２９】
　薬剤師（または患者）は、符号１０４に示すようにデータベースにアクセスして、処方要求の正当性を検証することができる。処方要求を検証するステップは、符号１０６に示すように、データベースを探索して、その処方要求に一致する処方レコードが存在するか否かを判定するステップを含むことができる。処方要求から得られる固有識別子コードが、データベースに含まれる処方レコードの対応するフィールド内にあった場合、一致するものが存在したと見なすことができる。あるいは、電子処方レコード内の所定数の電子レコード・フィールドが、電子処方要求の対応するフィールド（例えば、薬剤師が患者から書かれた処方箋を受け取ったときに作成される）と一致した場合、一致するものが存在したと見なすことができる。例えば、処方要求のフィールドと処方レコードにおいて、患者名、薬剤名および規定用量が同じ場合、一致が見つかったことになる。
【００３０】
　一致が見つからなかった場合、一致するレコードがデータベースにないので、符号１０８に示すように、薬剤を調剤してはならないことを指示するメッセージを薬剤師に送ることができる。その場合、薬剤師は、その処方要求が正当であることを確認するために、医者に電話するなど、さらなるステップを行なうことができる。
【００３１】
　データベースに一致する処方レコードが見つかった場合は、一致する処方レコードをデータベースから取り出し、符号１１０に示すように、容器構成を判定することができる。処方レコードに記憶された情報を使用して、薬剤を受け取る患者の識別を確認し、薬剤及び投薬処方計画を確認し、容器構成（例えば、容器の個別小室の構成）を識別することができる。例えば、符号１１２に示すように、薬剤師は、容器の個別の小室に個別容量の薬剤を格納した処方薬剤を提供できることが分かるであろう。個別小室に個別用量を有する容器は、汚染を防ぐことができ、前述のように服用された用量を把握する便利な方法を提供することができる。したがって、患者または第三者は、容器内の空の個別小室を識別すること、及び全部の個別小室を調べること、あるいはそれら両方により、服用された用量を把握することができる。
【００３２】
　薬剤師または患者は、符号１１４に示すように、各個別用量（および／またはそれぞれの個別小室）に関連する指示表示を有する特注薬剤ラベルを印刷することにより、薬剤の使用を把握しやすくすることができる。図２に示したラベルのようにプリンタを用いて特注薬剤ラベルをブリスター・パック型容器に直接印刷したり、後で容器に貼り付けることができる個別の印刷媒体に印刷したりすることができる。ラベルを容器に貼り付けた後、その指示表示に従って容器内の薬剤を投与することができる。
【００３３】
　既に述べたように、特注薬剤ラベルには、処方医師の名前、処方医師の勤務先住所、患者の名前と住所、薬局の名前と住所、前回処方に従って調剤を行なった日付、再調剤の状況、薬剤を投与するための簡単な指示、薬剤を投与すべき時間を示す個別小室の表示、薬剤の名称、薬剤メーカー、および薬剤の規定用量など、取り出した処方レコードに記憶されている情報を含めることができる。もちろん、特注薬剤ラベルには、上記の情報のうちの任意の一部または任意の組み合わせを含めることもできる。さらに、特注薬剤ラベルには、前述のリストには含まれてない他の情報を含めることもできる。
【００３４】
　薬剤ラベルを別の印刷媒体に印刷する場合、印刷媒体は、剥離ライナー、及びラベルを薬剤容器に貼り付けるための粘着層が含む場合がある。代替または追加として、テープや他の接着剤を使ってラベルを薬剤容器に貼り付けることもできる。したがって、薬剤師は、上記のように印刷された薬剤ラベルを薬剤容器に貼り付けることができる。
【００３５】
　また、処方箋を受け取った患者は、符号１１６に示すように、個別の服用量に位置合わせされた表示を目で確認することによって、自分の薬剤の使用を把握することができる。空の小室は、服用済みの用量を示している。小室に関連付けられた指示表示によって示された時間の後でも空になっていない小室は、服用されなかったことを示している。したがって、患者は、符号１１８に示すように、薬剤を服用すべき時間か否かを調べて確認することができる。薬剤を服用すべき時間でない場合、符号１２０に示すように、患者は、現在の時刻が指示表示に表示された時間になるまで服用するのを待つ。次の服用時間になると、符号１２２に示すように、患者は、小室から薬剤を取り出して薬剤を服用することができる。
【００３６】
　上記方法の説明は、処方に従って調剤する文脈において本発明の実施に焦点を当てたが、この種の検証および投薬把握システムは、処方薬剤にも非処方薬剤にも関連して使用することができると考えられる。また、本システムは、ビタミンやその他の栄養補助食品の摂取にも便利な場合があり、そのような薬もこの開示の目的の薬剤と考えられる。
【００３７】
　さらに、本発明の実施形態は詳細に図示され詳細に説明されているが、当業者であれば、特許請求の範囲に規定された本発明の思想および範囲から外れることなく、多数の変形を行うことが可能であると考えられる。従って、その説明には本明細書に記載した要素の新規で自明でない組み合わせもすべて含まれるものとして解釈すべきであり、そうした要素の新規で自明でない何らかの組み合わせについても、今回または後の出願で特許請求の範囲を提示する可能性がある。上記の実施形態は例であり、今回または今後の出願において特許請求する可能性がある考えられるすべての組み合わせすべてにとって、１つの特徴または要素が重要なのではない。
【００３８】
　特許請求の範囲において、「ａ」または「ｆｉｒｓｔ」の要素あるいはその等価物が示されている場合、そのような特許請求の範囲は、１つまたは複数のそのような要素の合体を含み、そのような複数の要素を必要とせずまた除外もしないことを理解されたい。
【図面の簡単な説明】
【００３９】
【図１】個別の投薬指示を記録した容器を作成するように構成されたシステムを示す概略図である。
【図２】図１のシステムによって生成され、個別の投薬指示と関連付けられた個別用量を有する薬剤容器を示す図である。
【図３】個別の投薬指示に関連付けられた個別用量を有する薬剤容器の代替の一実施形態を示す等角図である。
【図４】本発明の一実施形態により薬剤を調合する方法を示すフロー図である。
【符号の説明】
【００４０】
１６，２３　プリンタ
２４　プロセッサ
２６　メモリ
３０　容器
３４　指示表示
【図１】
2004065986.tif 000003
【図２】
2004065986.tif 000004
【図３】
2004065986.tif 000005
【図４】
2004065986.tif 000006